(57)【要約】      （修正有）【課題】トイレブース内に設置される乳幼児用椅子の補助固定が、トイレブースの壁に引っ掛ける構造であり、床の清掃性が良く、安全性の高い乳幼児用椅子を提供する。【解決手段】トイレブースの壁に設置されて使用される乳幼児用椅子１０であって、乳幼児が座る本体部１２と、前記本体部１２を壁に設置するために、トイレブースの壁に固定される取付部材３０と、前記取付部材３０に一端が固定され、他端がトイレブースを仕切る壁の上端に引っ掛かる補助部材４０と、を備えている。【選択図】図１
2014193239.tif 000002
【特許請求の範囲】
【請求項１】
トイレブースの壁に設置されて使用される乳幼児用椅子であって、
乳幼児が座る本体部と、
前記本体部を壁に設置するために、トイレブースの壁に固定される取付部材と、
前記取付部材に一端が固定され、他端がトイレブースを仕切る壁の上端に引っ掛かる補助部材と、を備えていることを特徴とする乳幼児用椅子。
【請求項２】
前記補助部材は、前記本体部を支える支持部と、
トイレブースを仕切る壁の上端に引っ掛ける係止部と、を有することを特徴とする請求項１記載の乳幼児用椅子。
【発明の詳細な説明】
【技術分野】
【０００１】
本発明は、トイレ空間などに設置される乳幼児用椅子の取付構造に関するものである。
【背景技術】
【０００２】
従来から、乳幼児用椅子を設置する場合、乳幼児の安全の為に椅子本体と壁との強固な固定が必要である。壁との固定は、ネジによって、取付強度を確保しているが、壁の経年劣化等により、本体と壁とを固定しているネジが緩んだ状態になるおそれがある。その状態で、乳幼児が椅子を使用すると椅子が落下してしまう危険性がある。そのため、特許文献１のように、乳幼児の安全を確保するため、椅子本体を支える支柱を、床に固定し、仮に壁の固定に不具合があった場合でも、支柱により椅子の落下を防止できる構成となっている。これにより、壁の固定が緩んだ状態で使用しても、即事故には繋がらず、椅子のガタツキなどにより異常に気づくことができる。
【先行技術文献】
【特許文献】
【０００３】
【特許文献１】特開２００７-２３６４９０号公報
【発明の概要】
【発明が解決しようとする課題】
【０００４】
しかしながら、床に固定するには、椅子本体を支える支柱を床に載置しなければならず、床の清掃性が悪くなるといった問題があった。
【課題を解決するための手段】
【０００５】
上記目的を達成するための、第一の発明は、トイレブースの壁に設置されて使用される乳幼児用椅子であって、乳幼児が座る本体部と、前記本体部を壁に設置するために、トイレブースの壁に固定される取付部材と、前記取付部材に一端が固定され、他端がトイレブースを仕切る壁の上端に引っ掛かる補助部材と、を備えていることを特徴とする乳幼児用椅子である。
【０００６】
第一の発明によれば、トイレブース内の、床の清掃性が良く、安全性の高い乳幼児用椅子の構成とすることができる。
【０００７】
第二の発明は、第一の発明において、前記補助部材は、本体部を支える支持部と、トイレブースを仕切る壁の上端に引っ掛ける係止部と、を有することを特徴とする乳幼児用椅子である。
【０００８】
第二の発明によれば、補助部材は、トイレブースを仕切る壁の上端に引っ掛けて設置されるので、壁部材に穴を開けずに簡易な方法で補助部材の固定が可能である。
【発明の効果】
【０００９】
本願構成とすることで、トイレブース内の床の清掃性が良く、安全性の高い乳幼児用椅子を提供できる。
【図面の簡単な説明】
【００１０】
【図１】本発明の実施形態に係る乳児用椅子の分解斜視図である。
【図２】本発明の実施形態に係る乳幼児用椅子の断面図である。
【図３】本発明の実施形態に係る本体部の背面側の斜視図である。
【図４】本発明の実施形態に係る乳幼児用椅子の壁上部付近の断面図である。
【図５】本発明の実施形態に係る支持部付近の拡大断面図である。
【図６】本発明の実施形態に係る乳幼児椅子の斜視図である。
【発明を実施するための形態】
【００１１】
以下、図面を参照しつつ、本発明の実施の形態について説明する。図１は、発明の実施形態に係る乳児用椅子１０の分解斜視図である。図２は、本発明の実施形態に係る乳幼児用椅子１０の断面図である。図３は、本発明の実施形態に係る乳幼児用椅子１０の壁上部付近の断面図である。図４は、本発明の実施形態に係る乳幼児用椅子の壁上部付近の断面図である。図５は、本発明の実施形態に係る支持部付近の拡大断面図である。図６は、本発明の実施形態に係る乳幼児椅子の斜視図である。
【００１２】
本実施形態の乳幼児用椅子１０は、公共施設のトイレブース内に据え付けられ使用される。図１に示すように、乳幼児が安全に座るための本体部１２と、本体部１２を壁に設置するために、本体部１２の背面側に一体的に成型されている取付部材３０に一端が固定され、他端がトイレブースを仕切る壁の上端に引っ掛かる補助部材４０と、を有している。
【００１３】
本体部１２は、乳幼児が座る座部１４、座ったときに背もたれとなる背部１５、乳幼児が落下しないように保持する保持部１７から構成されている。その本体部１２の背面側に一体的に備え付けられている取付部材３０がある。取付部材３０は、本体部１２と一体成形されている。取付部材３０の下方には、壁と取付部材３０を固定するネジ孔（図示せず）が３つあいている。なお、取付部材３０と本体部１２はネジや係合、接着などによって固定されていてもよい。
【００１４】
図２に示すように、取付部材３０の背面側には、後述する支持部４３に係合するよう平板状の板である平板３１が形成されている。図３に示すように、平板３１が取付部材３０の背面側に平板用ネジ１９ｂにて固定されている。
【００１５】
補助部材４０は、平板状の板部材４２の一端に支持部４３が設置され、他端にトイレブース壁５０に引っ掛けるための係止部４４が形成されている。図２に示すように、支持部４３は、板部材４２の下方側に支持部用ネジ１９ｃによって設置される。本体部１２は、取付部材３０の平板３１が支持部４３の断面Ｌ型形状部分に係合し前後方向へ規制される。なお、板部材４２の高さ方向に複数設けられた支持部用ネジ孔（図示なし）の何れか１つを選択し、選択した孔に支持部用ネジ１９ｃにて支持部４３を固定することで、支持部４３の設置高さを任意に変更できる。図４に示すように係止部４４は、板部材４２と一体成形されており、断面コの字形状となっている。
【００１６】
次に、本発明の実施形態の施工手順について説明する。図４に示すように、まず、補助部材４０の係止部４４をトイレブース壁５０の上端に引っ掛ける。次に、支持部４３を板部材４２の下側に支持部用ネジ１９ｃにより固定する。なお、支持部用ネジ１９ｃの代わりに溶接等により一体としてもよい。このとき、支持部４３の設置高さが決まり、支持される本体部１２の高さが決まる。次に、本体部１２と一体的に形成された取付部材３０の平板３１を、支持部４３の断面Ｌ型形状部分に係合する。そして、取付部材３０に設けられたネジ孔に、取付部材用ネジ１９ａを挿入し、トイレブース壁５０にネジ止めすることで、取付部材３０、ひいては本体部１２がトイレブース壁５０に固定される。このとき、図５に示すように、取付部材３０の高さを調整して、平板３１と支持部４３に、微小な隙間Ｈとなるように設置する。微小な隙間Ｈにより、使用時に支持部４３に直接荷重が係ることはない。最後に、取付部材用ネジ１９ａの外観を隠すために、カバー２０を設置する。図６に、トイレブース壁５０に設置した状態の乳幼児用椅子１０を示す。
【００１７】
上記構成としたことで、トイレブース壁５０の経年劣化等により、取付部材用ネジ１９ａが緩み、トイレブース壁５０との固定が外れても、補助部材４０で取付部材３０の平板３１を支えているので、本体部１２が落下することはない。また支持部４３は、直接荷重を受けているわけではないので、経年劣化により、支持部４３の固定が緩むことはほとんどない。
補助部材４０は、トイレブース壁５０に引っ掛ける構成となっているので、従来の支柱を用いて乳幼児用椅子１０を支持している乳幼児用椅子１０の構成に比べて、床の清掃性が良い。加えて、補助部材４０によって乳幼児の安全を確保できる。
【符号の説明】
【００１８】
１０    乳幼児用椅子
１２    本体部
１４    座部
１５    背部
１７    保持部材
１９ａ  取付部材用ネジ
１９ｂ  平板用ネジ
１９ｃ  支持部用ネジ
２０    カバー
３０    取付部材
３１    平板
４０    補助部材
４２    板部材
４３    支持部
４４    係止部
５０    トイレブース壁
【図１】
2014193239.tif 000003
【図２】
2014193239.tif 000004
【図４】
2014193239.tif 000005
【図５】
2014193239.tif 000006
【図６】
2014193239.tif 000007
【図３】
2014193239.tif 000008